(57)【要約】      （修正有）【課題】四方が湾曲する湾曲フィルムであっても、取り付け対象のディスプレイに対して正確に位置決め可能な治具及び方法を提供する。【解決手段】端末のディスプレイにフィルムを貼り付け可能な治具１００であって、端末保持部８、フィルム支持部４、押圧部５を備え、前記端末保持部は、前記端末を保持可能に構成され、前記フィルム支持部は、前記フィルムを支持可能に構成され、前記押圧部は、前記フィルム支持部と前記端末保持部を対向させた状態で、前記フィルム支持部に支持されたフィルムを前記ディスプレイに押圧可能に構成される。【選択図】図１
2019200222.tif 000002
【特許請求の範囲】
【請求項１】
端末のディスプレイにフィルムを貼り付け可能な治具であって、
端末保持部、フィルム支持部、押圧部を備え
前記端末保持部は、前記端末を保持可能に構成され、
前記フィルム支持部は、前記フィルムを支持可能に構成され、
前記押圧部は、前記フィルム支持部と前記端末保持部を対向させた状態で、前記フィルム支持部に支持されたフィルムを前記ディスプレイに押圧可能に構成される、
治具。
【請求項２】
前記フィルム支持部は、前記フィルムを載置する載置面を備え、
前記押圧部は、非押圧状態において、前記載置面から突出しないように構成される、
請求項１に記載の治具。
【請求項３】
前記フィルム支持部は、前記フィルムを載置する載置面を備え、
前記載置面において、前記フィルムが位置決めされる、
請求項１又は請求項２に記載の治具。
【請求項４】
前記押圧部が非押圧状態において、前記フィルム支持部は、前記フィルム支持部と前記端末保持部を対向させた状態で、前記フィルムが前記ディスプレイと非接触となるように前記フィルムを支持する、
請求項１〜請求項３の何れか１つに記載の治具。
【請求項５】
前記押圧部が前記フィルムを押圧する際に、前記フィルム支持部から前記フィルムが離脱可能に構成される、
請求項１〜請求項４の何れか１つに記載の治具。
【請求項６】
前記フィルム支持部は、アームを備え、
前記アームは、非押圧状態において前記フィルムの縁に重なるように設けられ、
前記押圧部により前記フィルムが押圧されることに連動して、前記アームが前記フィルムの縁と重ならない位置に移動するように構成される、
請求項１〜請求項５の何れか１つに記載の治具。
【請求項７】
前記アームは、ガイド部を備え、
前記押圧部は、押圧片を備え、
前記押圧部が前記フィルムを押圧する際に、前記押圧片が前記ガイド部を押圧し、前記アームが前記フィルムの縁と重ならない位置に移動するように構成される、
請求項６に記載の治具。
【請求項８】
前記押圧部は、前記フィルムの中心から端部に向けて力を入力可能に構成される、
請求項１〜請求項７の何れか１つに記載の治具。
【請求項９】
前記押圧部は、前記フィルムの長手方向に沿った押圧部材を備え、
押圧状態のとき、平面視において、前記押圧部材の第１端部が前記フィルムの中心と重なり、前記押圧部材の第２端部が前記フィルムの縁と重なるように構成される、
請求項１〜請求項８の何れか１つに記載の治具。
【請求項１０】
第１部材、第２部材、を備え、
第１部材及び第２部材は、開閉可能に構成され、
第１部材は、前記フィルム支持部及び前記押圧部を備え、
第２部材は、前記端末保持部を備え、
前記端末保持部は、第１部材及び第２部材が閉じた状態において、前記フィルム支持部と対向する位置に設けられる、
請求項１〜請求項９の何れか１つに記載の治具。
【請求項１１】
前記フィルム支持部は、アームを備え、
第１部材及び前記アームの間に板状部材を備え、
前記アームは、前記板状部材を介して第１部材に取り付けられ、
前記板状部材は、第１部材から着脱可能に構成される、
請求項１０に記載の治具。
【請求項１２】
前記端末保持部は、第２部材から着脱可能に構成される、
請求項１０又は請求項１１に記載の治具。
【請求項１３】
治具を用いて端末のディスプレイにフィルムを貼り付ける方法であって、
前記治具は、端末保持部、フィルム支持部、押圧部を備え、
前記方法は、位置決めステップ及び押圧ステップを備え、
前記位置決めステップでは、前記端末保持部に前記端末を保持し、且つ、前記フィルム支持部に前記フィルムを支持し、
前記押圧ステップでは、前記フィルム支持部と前記端末保持部を対向させた状態で、前記押圧部により、前記フィルム支持部に支持されたフィルムを前記ディスプレイに押圧する、
方法。
【発明の詳細な説明】
【技術分野】
【０００１】
本発明は、治具及び方法に関する。
【背景技術】
【０００２】
スマートフォン等の多機能情報端末は、落下による衝撃のためにディスプレイが割れてしまう事故が多発している。そのため、ディスプレイに貼り付け、ディスプレイを衝撃から保護するフィルムが利用されている。特許文献１には、ユーザーが、表示面に対して保護フィルムを正確且つ容易に貼り付けることを可能にする手段が開示されている。
【先行技術文献】
【非特許文献】
【０００３】
【特許文献１】特開２０１４−２２４６号公報
【発明の概要】
【発明が解決しようとする課題】
【０００４】
ところで、近年、フィルムの四方が湾曲している、いわゆる湾曲フィルムが販売されている。これは、ディスプレイの四方が湾曲している多機能情報端末の登場によるものである。しかし、特許文献１に開示されるような従来の技術では、湾曲フィルムを正確に位置合わせすることは困難である。これは、仮にフィルムの平面部分をディスプレイに対して正確に貼り付けられても、フィルムの湾曲部をディスプレイの湾曲部に貼り付ける際に正確に位置決めすることが困難であるためである。
【０００５】
本発明はこのような事情に鑑みてなされたものであり、四方が湾曲する湾曲フィルムであっても、取り付け対象のディスプレイに対して正確に位置決め可能な治具及び方法を提供するものである。
【課題を解決するための手段】
【０００６】
本発明によれば、端末のディスプレイにフィルムを貼り付け可能な治具であって、端末保持部、フィルム支持部、押圧部を備え前記端末保持部は、前記端末を保持可能に構成され、前記フィルム支持部は、前記フィルムを支持可能に構成され、前記押圧部は、前記フィルム支持部と前記端末保持部を対向させた状態で、前記フィルム支持部に支持されたフィルムを前記ディスプレイに押圧可能に構成される、治具が提供される。
【０００７】
本発明に係る治具は、端末保持部、フィルム支持部、押圧部を備える。そして、押圧部は、フィルム支持部と端末保持部を対向させた状態で、フィルム支持部に支持されたフィルムをディスプレイに押圧可能に構成される。これにより、ディスプレイとフィルムが端末保持部及びフィルム支持部により正確に位置決めされるので、ディスプレイに対してフィルムを正確に貼り付けることが可能になる。
【０００８】
以下、本発明の種々の実施形態を例示する。以下に示す実施形態は互いに組み合わせ可能である。
【０００９】
好ましくは、前記フィルム支持部は、前記フィルムを載置する載置面を備え、前記押圧部は、非押圧状態において、前記載置面から突出しないように構成される。
好ましくは、前記フィルム支持部は、前記フィルムを載置する載置面を備え、前記載置面において、前記フィルムが位置決めされる。
好ましくは、前記押圧部が非押圧状態において、前記フィルム支持部は、前記フィルム支持部と前記端末保持部を対向させた状態で、前記フィルムが前記ディスプレイと非接触となるように前記フィルムを支持する。
好ましくは、前記押圧部が前記フィルムを押圧する際に、前記フィルム支持部から前記フィルムが離脱可能に構成される。
好ましくは、前記フィルム支持部は、アームを備え、前記アームは、非押圧状態において前記フィルムの縁に重なるように設けられ、前記押圧部により前記フィルムが押圧されることに連動して、前記アームが前記フィルムの縁と重ならない位置に移動するように構成される。
好ましくは、前記アームは、ガイド部を備え、前記押圧部は、押圧片を備え、前記押圧部が前記フィルムを押圧する際に、前記押圧片が前記ガイド部を押圧し、前記アームが前記フィルムの縁と重ならない位置に移動するように構成される。
好ましくは、前記押圧部は、前記フィルムの中心から端部に向けて力を入力可能に構成される。
好ましくは、前記押圧部は、前記フィルムの長手方向に沿った押圧部材を備え、押圧状態のとき、平面視において、前記押圧部材の第１端部が前記フィルムの中心と重なり、前記押圧部材の第２端部が前記フィルムの縁と重なるように構成される。
好ましくは、第１部材、第２部材、を備え、第１部材及び第２部材は、開閉可能に構成され、第１部材は、前記フィルム支持部及び前記押圧部を備え、第２部材は、前記端末保持部を備え、前記端末保持部は、第１部材及び第２部材が閉じた状態において、前記フィルム支持部と対向する位置に設けられる。
好ましくは、前記フィルム支持部は、アームを備え、第１部材及び前記アームの間に板状部材を備え、前記アームは、前記板状部材を介して第１部材に取り付けられ、前記板状部材は、第１部材から着脱可能に構成される。
好ましくは、前記端末保持部は、第２部材から着脱可能に構成される。
他の観点によれば、治具を用いて端末のディスプレイにフィルムを貼り付ける方法であって、前記治具は、端末保持部、フィルム支持部、押圧部を備え、前記方法は、位置決めステップ及び押圧ステップを備え、前記位置決めステップでは、前記端末保持部に前記端末を保持し、且つ、前記フィルム支持部に前記フィルムを支持し、前記押圧ステップでは、前記フィルム支持部と前記端末保持部を対向させた状態で、前記押圧部により、前記フィルム支持部に支持されたフィルムを前記ディスプレイに押圧する、方法が提供される。
【図面の簡単な説明】
【００１０】
【図１】本発明の一実施形態に係る治具１００の斜視図である。
【図２】治具１００の分解斜視図である。
【図３】図３Ａは、アーム６の平面図である。図３Ｂは、図２のＸ方向から見たアーム６の側面図である。
【図４】板状部材７及び端末保持部８の平面図である。
【図５】押圧部５の斜視図である。
【図６】図６Ａは、非押圧状態におけるアーム６、板状部材７及び押圧部５の位置関係を表す斜視図である。図６Ｂは、図６ＡのＸ方向から見た側面図である。図６Ｃは、図６ＡのＹ方向から見た側面図である。
【図７】図７Ａは、非押圧状態におけるアーム６、板状部材７及び押圧部５の位置関係を表す斜視図である。図７Ｂは、図７ＡのＸ方向から見た側面図である。図７Ｃは、図７ＡのＹ方向から見た側面図である。
【図８】図７Ｂの拡大図である。
【図９】非押圧状態における治具１００の平面図である。
【図１０】押圧状態における治具１００の平面図である。
【図１１】フィルム９の断面図の模式図である。
【図１２】フィルム支持部４にフィルム９を支持した状態における、治具１００の平面図である。
【図１３】開閉機構３を中心に、第２部材２に対して第１部材１を閉じる過程を表す斜視図である。
【図１４】第１部材１と第２部材２を閉じて、フィルム支持部４と端末保持部８を対向させた状態を表す斜視図である。
【図１５】図１４のＹ方向から見た側面図であり、非押圧状態を表す図である。
【図１６】図１４のＹ方向から見た側面図であり、押圧状態を表す図である。
【図１７】開閉機構３を中心に、第２部材２に対して第１部材１を閉じる過程を表す斜視図である。
【図１８】図１７に対応する、第１部材１と第２部材２を閉じた状態における押圧部５とアーム６の位置関係を表す斜視図である。
【図１９】図１７のＹ方向から見た、第１部材１と第２部材２を閉じた非押圧状態における３点Ａを通る、湾曲面９２を含む端面図である。
【図２０】図１９のＢ−Ｂ線の左側の部分拡大図である。
【図２１】図１７のＹ方向から見た、第１部材１と第２部材２を閉じた押圧状態における３点Ａを通る、湾曲面９２を含む端面図である。
【図２２】ディスプレイ１５にフィルム９が貼り付けられる様子を表す概念図である。
【発明を実施するための形態】
【００１１】
以下、本発明の実施形態について説明する。以下の実施形態は、例示であって、本発明の範囲は、以下の実施形態で示すものに限定されない。
【００１２】
１．治具１００の全体構成
以下、図１〜図１０を用いて、治具１００について説明する。
【００１３】
図１及び図２に示すように、本発明は、端末１０のディスプレイ１５（図１９〜図２１を参照）にフィルム９（図１１参照）を貼り付け可能な治具１００を提供するものである。治具１００は、端末保持部８、フィルム支持部４、押圧部５を備える。端末保持部８は、端末１０を保持可能に構成される。ここで、本実施形態では、端末１０は、スマートフォン等の多機能情報端末である。そして、ディスプレイ１５は、端末の前面に設けられるものであり、特に四辺が湾曲した湾曲ディスプレイを想定している。また、フィルム支持部４は、フィルム９を支持可能に構成される。押圧部５は、フィルム支持部４と端末保持部８を対向させた状態で、フィルム支持部４に支持されたフィルム９をディスプレイ１５に押圧可能に構成される。
【００１４】
さらに詳細には、本実施形態では、治具１００は、第１部材１及び第２部材２を備える。第１部材１及び第２部材２は、開閉機構３により開閉可能に構成される。開閉機構３の構成は特に限定されず、例えばヒンジにより実現することができる。また、第１部材１は、フィルム支持部４及び押圧部５を備える。そして、第２部材２は、端末保持部８を備える。本実施形態では、端末保持部８は、第１部材１及び第２部材２が閉じた状態において、フィルム支持部４と対向する位置に設けられる。また、端末保持部８は、第２部材２から着脱可能に構成される。これにより、端末１０の形状に合わせて端末保持部８を取り替えることが可能になり、１つの第２部材２で複数の種類の端末１０に対応することができる。
【００１５】
また、図２に示すように、第１部材１は、孔１１及び軸１２を備える。孔１１は押圧部５との干渉を避けるためのものである。また、軸１２は押圧部５を挿通し、軸１２を中心に押圧部５を回動可能とするものである。第２部材２は、凹部２１を備える。凹部２１は、端末保持部８を嵌め込むためのものである。ここで、第２部材２に凹部２１を設けず、端末保持部８を両面テープ等で第２部材２に取り付ける構成としてもよい。
【００１６】
本実施形態では、フィルム支持部４は、アーム６を備える。そして、第１部材１及びアーム６の間に板状部材７を備える。また、アーム６は、板状部材７を介して第１部材１に取り付けられる。ここで、板状部材７は、第１部材１から着脱可能に構成されることが好ましい。これにより、フィルム９の形状に合わせてフィルム支持部４を取り替えることが可能になり、１つの第１部材１で複数の種類のフィルム９に対応することができる。
【００１７】
１−１．アーム６
図３Ａに示すように、アーム６は、ネジ６３Ａ〜ネジ６３Ｃにより、板状部材７を介して第１部材１に取り付けられる。本実施形態では、一対のアーム６が配置される。そして、アーム６の略中央には規制溝６２が設けられ、ネジ６３Ｂによりアーム６が位置決めされる。図３Ｂに示すように、アーム６は、ガイド部６１を備える。ガイド部６１は、平面６１Ｐ及び斜面６１Ｓを備える。そして、ガイド部６１は、ネジ６３Ｃによりアーム６に取り付けられる。本実施形態では、板状部材７及びアーム６により、フィルム支持部４が形成される。
【００１８】
１−２．板状部材７及び端末保持部８
図４に示すように、板状部材７は、載置面４１、孔７１、スライド溝７２、規制溝７３及び基面７４を備える。ここで、図３Ａに示されるネジ６３Ａに対応するネジ穴は図示を省略している。載置面４１は、フィルム９を載置する面であり、基面７４からフィルム９の厚み程度窪んだ面である。そして、載置面４１において、フィルム９が位置決めされる。ここで、本実施形態では、板状部材７及びアーム６によりフィルム支持部４が構成されるので、フィルム支持部４が載置面４１を備えるということができる。
【００１９】
孔７１は載置面４１に形成され、押圧部５との干渉を回避するためのものである。スライド溝７２は、図３Ａのネジ６３Ｃの軸を挿通可能に構成される。すなわち、アーム６の下面とガイド部６１の上面の間において、ネジ６３Ｃの軸をスライド溝７２に挿通した状態で板状部材７がアーム６の下面と第１部材１の間に配置される。規制溝７３は、図３Ａの規制溝６２に対応するものである。
【００２０】
端末保持部８は、端末１０を保持可能に構成され、凹部８１、保持壁８２及び切欠８３を備える。凹部８１は、端末１０の底面に対応した形状であり、端末１０を嵌めることが可能に構成される。保持壁８２は、端末１０の側面の位置ずれを防止するものである。切欠８３は、端末１０の取り付けを容易にするためのものである。具体的には、切欠８３からユーザーの指等で端末１０の下側面を触れることができるので、端末保持部８に対する端末１０の取り外しが容易になる。
【００２１】
１−３．押圧部５
図５に示すように、押圧部５は、底面プレート５２、側面プレート５３、台座５５、押圧部材５１及び押圧片５４を備える。底面プレート５２は、種々の部材を搭載するものである。側面プレート５３は、底面プレート５２の対向する側面に垂直に設けられる。本実施形態では、底面プレート５２の方が側面プレート５３よりも長く形成される。そして、底面プレート５２のうち、側面プレート５３と重ならない箇所がレバー５２Ｒとして機能する。
【００２２】
底面プレート５２上には、台座５５が設けられる。そして、台座５５の上に、フィルム９の長手方向に沿った押圧部材５１が設けられる。押圧部材５１は、フィルム支持部４に支持されるフィルム９を押圧するものである。ここで、押圧部材５１の素材は特に限定されないが、例えばウレタン又はシリコン系の樹脂を採用することができる。また、本実施形態では、押圧部材５１は、フィルム支持部４の載置面４１の長手方向の略半分の長さの円柱形状である。
【００２３】
また、底面プレート５２上に、押圧片５４が設けられる。すなわち、押圧部５は押圧片５４を備える。本実施形態では、押圧部５がフィルム９を押圧する際に、押圧片５４がガイド部６１（図３Ｂ参照）を押圧する。また、本実施形態では、押圧片５４は、平面５４Ｐ及び斜面５４Ｓを備える略台形形状である。
【００２４】
ここで、側面プレート５３及び台座５５には、第１部材１の軸１２を挿通可能な貫通孔５３Ｈ及び貫通孔５５Ｈが形成される。これにより、図１及び図２に示すように、押圧部５を第１部材１に取り付けた際に、軸１２を中心として押圧部５が回動可能になる。なお、軸１２にねじりバネ等の弾性部材を取り付け、押圧部５を板状部材７と反対側に付勢するようにしてもよい。これにより、治具１００の向きに関わらず、押圧部５が非押圧状態となる。
【００２５】
＜非押圧状態＞
図６Ａ〜図６Ｃ及び図９を用いて、押圧部５が非押圧状態のときにおける各部材の位置関係について説明する。ここで、非押圧状態とは、押圧部５の押圧部材５１が、フィルム支持部４に支持されたフィルム９を押圧可能でない状態である。図６Ａ及び図６Ｃに示すように、非押圧状態においては、側面視において押圧部５がフィルム支持部４に対して傾斜している。このとき、図９に示すように、一対のアーム６が閉じた状態となり、規制溝６２の外側とネジ６３Ｂが当接する。そして、図６Ｂに示すように、非押圧状態では、押圧片５４はガイド部６１を押圧しない。また、図６Ａ及び図６Ｃに示すように、押圧部５は、非押圧状態において、載置面４１から突出しないように構成される。これにより、非押圧状態において、フィルム支持部４の載置面４１にフィルム９を載置しやすくなる。
【００２６】
ここで、図１２に示すように、アーム６は、非押圧状態においてフィルム９の縁（図１２の例では、フィルム９の長手方向の縁）に重なるように設けられる。
【００２７】
＜押圧状態＞
次に、図７Ａ〜図７Ｃ、図８及び図１０を用いて、押圧部５が押圧状態のときにおける各部材の位置関係について説明する。ここで、押圧状態とは、押圧部５の押圧部材５１が、フィルム支持部４に支持されたフィルム９を押圧可能な状態である。図７Ａ及び図７Ｃに示すように、押圧状態においては、側面視において押圧部５がフィルム支持部４に対して平行となる。このとき、図１０に示すように、一対のアーム６が開いた状態となり、規制溝６２の内側とネジ６３Ｂが当接する。そして、図７Ｂに示すように、押圧状態では、押圧片５４はガイド部６１を押圧する。具体的には、図８に示すように、押圧片５４の斜面５４Ｓと、ガイド部６１の斜面６１Ｓがそれぞれ対応する傾斜となっている。そして、レバー５２Ｒを押し上げることにより、軸１２（図２参照）を中心として押圧部５がフィルム支持部４に対して平行となる向きに回動する。このとき、押圧片５４の斜面５４Ｓによりガイド部６１の斜面６１Ｓが互いに離間する方向に力を受けるので、ガイド部６１が取り付けられたアーム６にも互いに離間する力が加わる。
【００２８】
このとき、図１０に示すように、アーム６はネジ６３Ａにより固定されているため、ネジ６３Ｃがスライド溝７２に対して外側にスライドしつつ、ネジ６３Ｂと規制溝６２の内側が当接する位置までアーム６が開く。このとき、アーム６はフィルム９の縁と重ならない。すなわち、本実施形態では、押圧部５によりフィルム９が押圧されることに連動して、アーム６がフィルム９の縁と重ならない位置に移動するように構成される。換言すると、押圧部５がフィルム９を押圧する際に、押圧片５４がガイド部６１を押圧し、アーム６がフィルム９の縁と重ならない位置に移動するように構成される。これにより、押圧部５がフィルム９を押圧する際に、フィルム支持部４からフィルム９が離脱可能となる。
【００２９】
ここで、本実施形態では、図１０に示される押圧状態のとき、平面視において、押圧部材５１の第１端部ＦＥがフィルム９の中心と重なり、押圧部材５１の第２端部ＳＥがフィルム９の縁と重なるように構成される（図１０及び図１２参照）。
【００３０】
また、図７Ａ及び図７Ｃに示すように、押圧部５は、押圧状態において、載置面４１から突出するように構成される。本実施形態では、押圧状態において、載置面４１から押圧部材５１が突出するように構成される。これにより、押圧状態において、押圧部材５１がフィルム９をディスプレイ１５に向けて十分に押圧することが可能になる。
【００３１】
１−４．フィルム９
図１１に示すように、フィルム９は、保護面９１、湾曲面９２、テープ９３、接着剤９４、セパレータ９５を備える。保護面９１はディスプレイ１５を保護する面であり、例えばガラスや樹脂により形成される。湾曲面９２は保護面９１の四辺に形成されるものであり、ディスプレイ１５の四辺の湾曲形状に対応するものである。湾曲面９２は、例えばポリエチレンテレフタラート（ＰＥＴ）により形成される。テープ９３には接着剤９４が塗られており、接着剤９４を介してセパレータ９５が取り付けられる。そして、セパレータ９５を剥がした状態で、保護面９１をフィルム支持部４と対向させた向きでフィルム９をフィルム支持部４に支持することにより、接着剤９４がディスプレイ１５側に対向することになる。
【００３２】
２．フィルム９の取り付け方法
以下、図１２〜図２２を用いて、治具１００を用いて端末１０のディスプレイ１５にフィルム９を貼り付ける方法について説明する。本方法は、位置決めステップ及び押圧ステップを備える。
【００３３】
図１２に示すように、位置決めステップでは、端末保持部８に端末１０を保持し、且つ、フィルム支持部４にフィルム９を支持する。フィルム９のセパレータ９５は予め剥がしておく。このとき、端末１０のディスプレイ１５は、端末保持部８の保持壁８２から突出した状態である。フィルム支持部４へフィルム９を支持するときは、図１０に示されるアーム６を開いた状態でフィルム９を載置面４１に載置し、その後アーム６を閉じる。これにより、フィルム９が載置面４１において位置決めされるとともに、アーム６がフィルム９の縁と重なることにより、フィルム９がフィルム支持部４に支持される。フィルム９が湾曲面９２を有しているので、湾曲面９２の先端９２Ｔ（図１１及び図１２参照）のみにおいて接着剤９４がアーム６に当接するため、フィルム９とアーム６の接触面積が小さい。位置決めステップにおいて、端末保持部８に端末１０を保持することと、フィルム支持部４にフィルム９を支持することは、いずれを先に実行してもよく、可能であればこれらを同時に実行してもよい。
【００３４】
このとき、押圧部５は非押圧状態である。また、本実施形態では、押圧部５が非押圧状態において、フィルム支持部４は、フィルム支持部４と端末保持部８を対向させた状態で、フィルム９がディスプレイ１５と非接触となるようにフィルム９を支持するように構成される。これにより、押圧部５でフィルム９を押圧する前に、不用意にフィルム９の接着剤９４とディスプレイ１５が接触することを防止することができる。
【００３５】
次に、押圧ステップでは、フィルム支持部４と端末保持部８を対向させた状態で、押圧部５により、フィルム支持部４に支持されたフィルム９をディスプレイ１５に押圧する。具体的には、図１３及び図１４に示すように、開閉機構３を中心に第１部材１と第２部材２を閉じることにより、フィルム支持部４と端末保持部８を対向させる。このとき、図１５に示すように、押圧部５は第１部材１及び第２部材２に対して傾斜している（非押圧状態）。そして、図１６に示すように、レバー５２Ｒを引き上げることにより、押圧部５が第１部材１及び第２部材２に対して平行となる（押圧状態）。また、この状態でアーム６は、端末保持部８に押し付けられておらず、アーム６はスムーズに移動可能な状態になっている。アーム６は、端末保持部８と非接触であることが好ましいが、接触していてもよい。
【００３６】
以下、押圧状態において、押圧部５がフィルム９を押圧する様子について、図１７〜図２２を用いて説明する。
【００３７】
図１７は、フィルム支持部４と端末保持部８を対向させる直前の状態を表す模式図である。図１７に対応する、第１部材１と第２部材２を閉じた状態における押圧部５とアーム６の相対関係は、図１８に示す状態となる。なお、視認性の向上のため、図１８における押圧部５とアーム６の距離は、図１７における押圧部５とアーム６の距離よりも大きく図示している。
【００３８】
図１７の状態からさらに第１部材１及び第２部材２を閉じると、図１４及び図１６に示される状態となる。このとき、図１９に示すように、アーム６と端末保持部８は非接触となる。また、押圧部材５１とフィルム９も非接触となる。そして、フィルム支持部４と端末保持部８が対向する。なお、図１９では、視認性の向上のため、アーム６と端末保持部８の距離は実際の距離よりも大きく図示している。
【００３９】
図２０に示すように、非押圧状態では、フィルム９が湾曲面９２を有しているので、湾曲面９２の先端９２Ｔのみにおいて接着剤９４（図１１参照）がアーム６に当接するため、フィルム９とアーム６の接触面積が小さい。ここで、図２０では、視認性の向上のため、接着剤９４を省略している。また、湾曲面９２の大きさも、実際の大きさより大きく図示している。
【００４０】
この状態でレバー５２Ｒを押し上げることにより、押圧部材５１がフィルム９をディスプレイ１５側に押圧する。このとき、図２１に示すように、押圧部材５１によりフィルム９の中心がディスプレイ１５側に向けて撓んだ状態となる。フィルム９が湾曲面９２を有する場合、フィルム９の撓みが大きくなる。また、図７Ａ及び図１０に示すように、アーム６が外側に開き、フィルム支持部４からフィルム９が離脱可能となる。なお、視認性の向上のため、図２１では、図２０と同様に、アーム６と端末保持部８の距離は実際の距離よりも大きく図示している。また、フィルム９の撓みも誇張して表現している。
【００４１】
ここで、レバー５２Ｒを完全に押し上げて十分にフィルム９をディスプレイ１５に対して押圧しているときには、上述のようにアーム６がフィルム９の縁と重ならない位置に移動する（図１０及び図２１参照）ので、フィルム支持部４からフィルム９が容易に離脱し、フィルム９がフィルム支持部４からディスプレイ１５側に移行する。フィルム９が湾曲面９２を有する場合、フィルム９の撓みが大きいので、その分だけ、フィルム９の復元力が大きくなり、フィルム９がディスプレイ１５に貼り付けられやすくなる。
【００４２】
次に、図２２を用いて、ディスプレイ１５に貼り付けられるフィルム９にかかる力について説明する。図２２に示すように、押圧部５は、フィルム９の中心から端部に向けて力Ｆを入力可能に構成される。これは、図６、図７、図１０、図１２、図１８、図２０及び図２１に示すように、平面視において、押圧部材５１の第１端部ＦＥがフィルム９の中心と重なり、押圧部材５１の第２端部ＳＥがフィルム９の縁と重なるように構成されており、押圧部５の回動に伴い、第１端部ＦＥからの力がフィルム９に付加されてから第２端部ＳＥからの力がフィルム９に付加されるためである。
【００４３】
これにより、ディスプレイ１５の略中心（図中の黒丸）から縁にかけて、押圧部５からの力Ｆが入力される。このとき、図２１に示すように、押圧部材５１の形状に沿ってフィルム９が撓んだ状態となっている。そして、力Ｆの遷移に伴い、ディスプレイ１５の略中心から縁にかけてフィルム９が貼り付けられる。その結果、ディスプレイ１５の略中心から放射状に、フィルム９とディスプレイ１５の間の空気が真空状態に近づくことで発生する自己吸着力ＳＡが生じる。この自己吸着力ＳＡにより、フィルム９とディスプレイ１５の間に気泡が残りにくく、フィルム９の湾曲面９２がディスプレイ１５の四隅（湾曲面）に対して吸着する。これにより、治具１００を用いることにより、四方が湾曲する湾曲フィルムであっても、取り付け対象のディスプレイに対して正確に位置決め可能となる。
【００４４】
３．その他
以上、種々の実施形態について説明したが、以下の態様でも実現可能である。
【００４５】
・治具１００を用いて、四方が湾曲する湾曲フィルム以外のフィルムを取り付ける。
・治具１００にアーム６を１つだけ設ける。
・押圧部５によりフィルム９が押圧されることに連動させず、アーム６がフィルム９の縁と重ならない位置に移動するように構成する。例えば、アーム６につまみを設け、押圧部５によりフィルム９を押圧した後、つまみを摘んでアーム６を移動させてもよい。
・フィルム９の短手方向に沿った押圧部材を用いる。
・半円柱形の押圧部材を用いる。
・アーム６が移動せず、押圧部材５１によりフィルム９が撓むことにより、フィルム支持部４からフィルム９が離脱可能に構成する。この場合、フィルム９の保護面９１をガラスで形成すると、フィルム９の撓みでガラスが割れることがあることに留意されたい。
【符号の説明】
【００４６】
１      ：第１部材
２      ：第２部材
３      ：開閉機構
４      ：フィルム支持部
５      ：押圧部
６      ：アーム
７      ：板状部材
８      ：端末保持部
９      ：フィルム
１０    ：端末
１１    ：孔
１２    ：軸
１５    ：ディスプレイ
２１    ：凹部
４１    ：載置面
５１    ：押圧部材
５２    ：底面プレート
５２Ｒ  ：レバー
５３    ：側面プレート
５３Ｈ  ：貫通孔
５４    ：押圧片
５４Ｐ  ：平面
５４Ｓ  ：斜面
５５    ：台座
５５Ｈ  ：貫通孔
６１    ：ガイド部
６１Ｐ  ：平面
６１Ｓ  ：斜面
６２    ：規制溝
６３Ａ  ：ネジ
６３Ｂ  ：ネジ
６３Ｃ  ：ネジ
７１    ：孔
７２    ：スライド溝
７３    ：規制溝
７４    ：基面
８１    ：凹部
８２    ：保持壁
８３    ：切欠
９１    ：保護面
９２    ：湾曲面
９２Ｔ  ：先端
９３    ：テープ
９４    ：接着剤
９５    ：セパレータ
１００  ：治具
ＦＥ    ：第１端部
ＳＥ    ：第２端部
【図１】
2019200222.tif 000003
【図２】
2019200222.tif 000004
【図３】
2019200222.tif 000005
【図４】
2019200222.tif 000006
【図５】
2019200222.tif 000007
【図６】
2019200222.tif 000008
【図７】
2019200222.tif 000009
【図８】
2019200222.tif 000010
【図９】
2019200222.tif 000011
【図１０】
2019200222.tif 000012
【図１１】
2019200222.tif 000013
【図１２】
2019200222.tif 000014
【図１３】
2019200222.tif 000015
【図１４】
2019200222.tif 000016
【図１５】
2019200222.tif 000017
【図１６】
2019200222.tif 000018
【図１７】
2019200222.tif 000019
【図１８】
2019200222.tif 000020
【図１９】
2019200222.tif 000021
【図２０】
2019200222.tif 000022
【図２１】
2019200222.tif 000023
【図２２】
2019200222.tif 000024